(57)【要約】【課題】簡易構成であってコスト安を実現でき、かつ容易にアクセサリを連結でき、しかも非常にコンパクトにアクセサリを連結できるアクセサリ連結装置を提供する。【解決手段】長方形の薄板状をなし、その両側の外面上下の長辺部分にリブ状の係合部９がそれぞれ形成された連結器具１と、この連結器具１の前記係合部９と摺嵌可能な係合部１１を有し、前記連結器具１の外面に連結可能な連結体１０とを備え、前記連結器具１の係合部９はメス形状のカメラ・シューをなすとともに、前記連結体１０の係合部１１はオス形状のカメラ・シューをなし、前記連結器具１の外面に前記連結体１０が相互の前記係合部９、１１を介し連結可能であり、かつ前記連結器具１の外面に前記連結体１０に形成された凹状係合部１２にロック、離脱可能なロック用ツメ７ｃを形成して構成した。【選択図】図１
2015064458.tif 000002
【特許請求の範囲】
【請求項１】
長方形の薄板状をなし、その両側の外面上下の長辺部分にリブ状の係合部（９）がそれぞれ形成された連結器具（１）と、
この連結器具（１）の前記係合部（９）と摺嵌可能な係合部（１１）を有し、前記連結器具（１）の外面に連結可能な連結体（１０）とを備え、
前記連結器具（１）の係合部（９）はメス形状のカメラ・シューをなすとともに、前記連結体（１０）の係合部（１１）はオス形状のカメラ・シューをなし、
前記連結器具（１）の外面に前記連結体（１０）が相互の前記係合部（９、１１）を介し連結可能であり、かつ前記連結器具（１）の外面に前記連結体（１０）に形成された凹状係合部（１２）にロック、離脱可能なロック用ツメ（７ｃ）が形成されたことを特徴とするカメラアクセサリ連結装置。
【請求項２】
請求項１記載のカメラアクセサリ連結装置において、前記連結器具（１）は２つの同形状の連結板（２）の内面側を向かい合わせて一体化してなることを特徴とするカメラアクセサリ連結装置。
【請求項３】
請求項１記載のカメラアクセサリ連結装置において、前記連結器具（１）には取付面固定のネジ穴（６）が形成されたことを特徴とするカメラアクセサリ連結装置。
【発明の詳細な説明】
【技術分野】
【０００１】
本発明は、一眼レフカメラ、ビデオカメラ、デジタルカメラ等のアクセサリ類を容易に連結することができるコンパクトなカメラアクセサリ連結装置に関する。
【背景技術】
【０００２】
カメラには様々なアクセサリが用意されており、連結用部材を介してカメラにアクセサリを取付けたり、アクセサリ同士を取付けしたりしている。
【０００３】
このような取付装置としては、例えば実開昭５６−１１７７３９が存在する。
【０００４】
この取付装置は、相互に電気的接続を必要とする場合に用いられるため、アリ溝形式による取付溝を有し、埋め込んだ３個以上の多数の電気接点の一部を取付溝表面に露出させた構成としている。
【０００５】
また、他の取付装置としては、中国実用新案登録公報ＣＮＹ２０２７９４８１８、ＣＮＹ２０２８７０４４９がある。
【０００６】
これらはデジタル映像メディアのコネクターの一種で、長尺であって四角形の支柱の四隅にホットシューの接合部分のくぼみを設け、その支柱に、航空用のアルミニウムからなる２つのロックナットとＴタイプの締付用ネジからなり、カメラを取付可能な組立体をスライド可能に接続可能とした構成としている。
【０００７】
また、近年、カメラとその周辺機材の小型化、時代的背景などに伴い、動画を撮影することが多くなり、録音用の音声機材や映像確認用モニタなどを集約してコンパクトに取付けてまとめる必要性が生じている。
【０００８】
図１５はマイクアンプのような音声機器を連結する従来の連結器具１００を示す。
【０００９】
このような連結器具１００において、メス形状のカメラ・シュー同士を連結する場合、両端がオス形状のカメラ・シューになった機器を使う必要がある。
【００１０】
この従来の連結器具１００は、左右にカメラ・シュー連結部１０１がそれぞれ離間して設けられ、かつ両端の連結部１０１の間にカメラ・シュー（オス）を固定するためのネジ１０２が設けられた構成となっている。図１６は、各連結部１０１に連結体１０を取付けた状態を示す。
【先行技術文献】
【特許文献】
【００１１】
【特許文献１】実開昭５６−１１７７３９
【特許文献２】ＣＮＹ２０２７９４８１８
【特許文献２】ＣＮＹ２０２８７０４４９
【発明の概要】
【発明が解決しようとする課題】
【００１２】
特許文献１では、カメラとアクセサリ、アクセサリ同士を連結する際、相互の電気的接続を目的とするため、相互の接点が確実に接触するよう複数個の電気接点を精度良く所定の位置に設ける必要があり、製造が煩雑であるという課題がある。
【００１３】
特許文献２、３においては、四角形の支柱に接続する連結用の組立体は、２つのロックナットやＴタイプのネジからなり、部品点数が多くコスト高を招来し、かつネジ止め作業を要し、作業性も悪いという課題がある。
【００１４】
また、図１５、図１６に示した連結器具１００ではカメラ・シュー（オス）を固定するためにネジ１０２を締める必要があり、その作業がわずらわしく、かつネジ１０２を設けるスペース、ネジ１０２を締め込むための指が入るスペースが必要となり、アクセサリ同士は必然的に２０ｍｍ前後離れて連結されることになってしまうという課題がある。
【００１５】
この発明は、上記のことに鑑み提案されたもので、その目的とするところは、簡易構成であってコスト安を実現でき、かつ容易にアクセサリを連結でき、しかも非常にコンパクトにアクセサリを連結できるアクセサリ連結装置を提供することにある。
【課題を解決するための手段】
【００１６】
上記課題を解決するために請求項１に係る本発明のカメラアクセサリ連結装置は、長方形の薄板状をなし、その両側の外面上下の長辺部分にリブ状の係合部９がそれぞれ形成された連結器具１と、この連結器具１の前記係合部９と摺嵌可能な係合部１１を有し、前記連結器具１の外面に連結可能な連結体１０とを備え、前記連結器具１の係合部９はメス形状のカメラ・シューをなすとともに、前記連結体１０の係合部１１はオス形状のカメラ・シューをなし、前記連結器具１の外面に前記連結体１０が相互の前記係合部９、１１を介し連結可能であり、かつ前記連結器具１の外面に前記連結体１０に形成された凹状係合部１２にロック、離脱可能なロック用ツメ７ｃが形成されたことを特徴とする。
請求項２に係る本発明のカメラアクセサリ連結装置は、請求項１記載のカメラアクセサリ連結装置において、前記連結器具１は２つの同形状の連結板２の内面側を向かい合わせて一体化してなることを特徴とする。
請求項３に係る本発明のカメラアクセサリ連結装置は、請求項１記載のカメラアクセサリ連結装置において、前記連結器具１には取付面固定のネジ穴６が形成されたことを特徴とする。
【発明の効果】
【００１７】
本発明の連結器具１は長方形をなす薄板状でシンプルな形状であり、その両側の外面に連結体１０を連結でき、その連結は相互に形成された係合部９、１１を係合させ、簡単に行うことができ、図１６に示した従来例のように、ネジやネジを締め込むための指操作用のスペースがないため、容易、かつコンパクトに相互の機器を連結することができる。
また、ネジ穴６を利用して壁などに容易に固定することができる。
【図面の簡単な説明】
【００１８】
【図１】本発明に用いられる連結器具の一実施例の斜視図を示す。
【図２】同上の連結器具を構成する連結板の断面図を示す。
【図３】（ａ）は本発明に用いられる連結器具の正面図、（ｂ）は平面図、（ｃ）は側面図を示す。
【図４】（ａ）は図３中Ａ−Ａ線断面図、（ｂ）はＢ−Ｂ線断面図を示す。
【図５】本発明の連結器具に連結される連結体の正面図を示す。
【図６】同上の連結体の一方の側面図を示す。
【図７】本発明に用いられる連結器具に連結体を取付ける状態の説明図を示す。
【図８】同じく本発明に用いられる連結器具に連結体を取付ける様子を示す。
【図９】同じく本発明に用いられる連結器具に連結体を取付ける様子を示す。
【図１０】本発明に用いられる連結器具に連結体が取付けられた状態を示す斜視図である。
【図１１】同上の部分切欠き平面図を示す。
【図１２】同じく取付け状態を示す。
【図１３】他の取付け例の斜視図を示す。
【図１４】更に他の取付け例の部分断面の正面図を示す。
【図１５】従来の連結器具の斜視図を示す。
【図１６】従来の連結器具に連結体を取付けた状態の正面図を示す。
【発明を実施するための形態】
【００１９】
以下、本発明の実施例を図面に基づいて説明するが、本発明は図示の実施例のみに限定されるものでなく、本発明の精神に逸脱しない範囲で種々の設計変更が可能である。
【００２０】
図１は、本発明に用いられる連結器具の一実施例の斜視図、図２は連結器具を構成する一方の連結板の断面図を示す。
【００２１】
これらの図において、１は樹脂製の連結器具で、この連結器具１はやや長尺であって同様の形状をなす２つの薄板状の連結板２、２の内面側を互いに向い合わせ、例えばネジ止めによって結合して構成されている。
【００２２】
すなわち、図１において手前側の一方の連結板２は正面から見て横長の長方形をなし、外面側の両端部にネジ３の頭部を螺入していく孔状のネジ取付部４、ネジ３の先端部側が位置するネジ受容部５がそれぞれ形成されている。
【００２３】
また、両端部にそれぞれ形成されたネジ取付部４、ネジ受容部５の内側位置には、例えば壁面のような取付部分に固定するためのネジ穴６がそれぞれ形成されている。
【００２４】
さらに、各ネジ穴６の内側の位置には連結器具１に取付可能な後述するマイクアンプのような連結体の係合部と係合する横長の連結板側係合部７がそれぞれ形成されている。
【００２５】
連結板側係合部７は、長辺と短辺からなる長方形をなす窓７ａと、窓７ａの各短辺にわたって窓７ａの長さ方向に沿って延びる薄い板状部材からなる帯状部７ｂと、この帯状部７ｂのほぼ中央部に形成され、外側に向ってほぼくの字状に突出するロック用ツメ７ｃとを有している。帯状部７ｂの幅は窓７ａの短辺の長さより短く、上下に隙間が形成され、かつ帯状部７ｂの両端は連結板２と一体形成され、帯状部７ｂは材質に起因する弾性を有し、ほぼくの字状のロック用ツメ７ｃに対し外側からの押圧力が作用すると帯状部７ｂがたわみロック用ツメ７ｃは内側に引っ込むように構成されている。
【００２６】
また、各連結板側係合部７の内側の位置にはネジ取付部４、ネジ受容部５がそれぞれ形成され、これらの間には、例えばロゴや商品名を表示可能なスペースからなる表示部８が形成されている。
【００２７】
さらに、連結板２の各長辺の上部、下部にはその長さ方向にわたってリブ状の係合部９、９がそれぞれ形成されている。
【００２８】
なお、図１において、一方の連結板２の中央位置より右側の位置にそれぞれ離間して形成したネジ受容部５の内側には、図２に示すように、円筒状のネジ螺入部５ａが形成されている。
【００２９】
図１の状態において、奥側に位置する他方の連結板２も同様に構成されている。
【００３０】
そして、２つの成形品からなる連結板２、２の内面側を互いに向かい合わせて接合し、正面側、背面側に位置する各連結板２の各ネジ取付部４からネジ３を挿入して締付けることによりネジ３の先端が向かい合っている連結板２のネジ受容部５側に螺入し、両者の連結板２、２は結合され、連結器具１を構成することができる。
【００３１】
図３（ａ）は上記した連結器具１の正面図、（ｂ）は平面図、（ｃ）は側面図であり、（ｂ）図および（ｃ）図からわかるように、ロック用ツメ７ｃが外面より外側に若干突出している。また、係合部９、９間に凹溝９ａが形成され、これらはメス形状のカメラ・シューとして機能するように構成されている。
【００３２】
また、この実施例では、好ましくは連結器具１の長辺の長さａは１０８ｍｍ、短辺ｂの長さは１７ｍｍ、幅ｃは６．５ｍｍ、凹溝９ａの幅ｄは３．３ｍｍ、凹溝９ａの深さｅは２．５ｍｍに形成されている。
【００３３】
図４（ａ）は図３中Ａ−Ａ線断面図、（ｂ）図はＢ−Ｂ線断面図を示す。
【００３４】
図４（ａ）からわかるように、図において下側に位置する一方の連結板２と、上側に位置する他方の連結板２は、ネジ取付部４に対しネジ受容部５が対向するよう向かい合わされて配置され、その部分に形成された円筒状のネジ螺入部５ａ内にネジ取付部４側からネジ３を螺入し、両者は一体化される。
【００３５】
また、各連結板２、２の連結板側係合部７、７は対向し、その内側には空間部１ａが形成され、ロック用ツメ７ｃが押圧され、帯状部７ｂがたわんだ場合の逃げ部となっている。
【００３６】
図５は連結器具１に取付け可能なほぼ直方体をなすマイクアンプのような連結体１０の正面図、図６は側面図を示す。
【００３７】
この連結体１０の正面の上部および下部には、連結器具１側の係合部９と摺嵌可能なほぼカギ形状の係合部１１がそれぞれ形成され、これら上下の係合部１１、１１間には連結板側係合部７のロック用ツメ７ｃとロック可能な凹状係合部１２が形成されている。
【００３８】
この例では、連結器具１の連結板側係合部７と対応した数、位置に凹状係合部１２が形成されている。
【００３９】
図７は連結器具１への連結体１０の取付状態を示す。
【００４０】
取付けにあたっては、連結器具１の一方の外面の上下の係合部９に連結体１０のオス形状のカメラ・シューとして機能する係合部１１を合わせ、凹溝９ａ内に係合部１１の折曲部分を入れて係合させ、矢印で示すように連結体１０を押し込んでスライドさせていけば良い。
【００４１】
この場合、ロック用ツメ７ｃは連結体１０に当接し、帯状部７ｂはたわんでロック用ツメ７ｃは連結器具１の空間部１ａ（図４（ａ）参照）に押し込まれるが、連結体１０の凹状係合部１２にさしかかると押圧力が解除されるため、外側に突出し、クリック的に凹状係合部１２内に入り込み、係合する。この係合は、さらに連結体１０を矢印方向に押圧するとロック用ツメ７ｃは空間部１ａへ押し込まれ、スライドさせることができる。
【００４２】
この例ではロック用ツメ７ｃが２つあり、それに対応して凹状係合部１２も２つあり、それらがそれぞれ係合した時点で連結動作は終了し、これらのロックによって連結体１０の脱落を防止し得る。連結体１０を取り外す場合には手によって連結体１０をスライドさせればロックが解除し、取り外すことができる。
【００４３】
図８〜図１０は連結する場合の一連の動作を示す。また、図１１は平面から見た場合において、係合状態を示す部分切欠き断面図を示す。
【００４４】
図１２は連結器具１の左右にそれぞれ連結体１０を連結した状態を示す。この場合、２つの連結体１０の各係合部１１は連結器具１の凹溝９ａ内に収まる。
【００４５】
なお、この例では連結体１０は電池を内蔵させることができるマイクプリアンプであり、上面に設けられた開閉自在な電池カバー１０ａを開け、電源としての電池を搭載させることができる。そして、図１２に示される面がデジタル一眼レフカメラ（Digital Single-Lens Reflex camera、一般的に単にＤＳＬＲともいう）への出力側、反対側の背面側がコンデンサマイクと接続される入力側となる。
【００４６】
すなわち、図１２はＬｃｈ側とＲｃｈ側を連結器具１を介して連結した出力側で、これによって隣り合ったマイクプリアンプの出力側相互をケーブルを介しカスケード接続でき、かつコネクタを介しＤＳＬＲに接続すればＤＳＬＲにＬ／Ｒのステレオ信号を送ることができる。
【００４７】
なお、マイクプリアンプの構造は本発明の要旨とは直接関係ないため、詳細な説明は省略する。また、連結体１０はマイクプリアンプに限られるものでないことは勿論である。
【００４８】
図１３は連結器具１を用いて３つの連結体１０を一体化した例を示す。
【００４９】
図１４は、連結器具１を、ネジ穴６およびネジ１３を利用して壁のような取付面１４に固定し、その連結器具１に連結体１０を取付けた例を示す。なお、その他の取付形態としては、連結器具１または一方の連結板２の内面を例えば棒状部材に固定ベルトで着脱可能に取付け、その連結器具１の外面に連結体１０を取付けたりと、必要に応じ様々な取付け方が考えられる。
【００５０】
なお、上記において、２つの連結板２、２をネジ３を用いて一体化した場合について説明したが、接着または超音波溶着によって一体化しても良く、この場合、ネジ取付部４、ネジ受容部５等はなくても良い。
【００５１】
また、ロック用ツメ７ｃ、凹状係合部１２が２つの場合について示したが、その数は適宜増減し得ることは勿論である。
【００５２】
さらに、連結器具１の中央部の表示部８はなくても良い。
【符号の説明】
【００５３】
１      連結器具
１ａ    空間部
２      連結板
３      ネジ
４      ネジ取付部
５      ネジ受容部
５ａ    ネジ螺入部
６      ネジ穴
７      連結板側係合部
７ａ    窓
７ｂ    帯状部
７ｃ    ロック用ツメ
８      表示部
９      係合部
９ａ    凹溝
１０    連結体
１１    係合部
１２    凹状係合部
１３    ネジ
１４    取付面
【図１】
2015064458.tif 000003
【図２】
2015064458.tif 000004
【図３】
2015064458.tif 000005
【図４】
2015064458.tif 000006
【図５】
2015064458.tif 000007
【図６】
2015064458.tif 000008
【図７】
2015064458.tif 000009
【図８】
2015064458.tif 000010
【図９】
2015064458.tif 000011
【図１０】
2015064458.tif 000012
【図１１】
2015064458.tif 000013
【図１２】
2015064458.tif 000014
【図１３】
2015064458.tif 000015
【図１４】
2015064458.tif 000016
【図１５】
2015064458.tif 000017
【図１６】
2015064458.tif 000018